(57)【特許請求の範囲】
【請求項１】
それぞれが資源の総供給量の一部を受け取る複数の区域の間で資源を効率的に分配する装置であって、
各区域について計算された前記総供給量の一部に基づいて、複数の区域の間で資源を分配する資源分配手段、
各区域へ供給された資源の実際量を表す第１値を測定し、各区域が望んだ資源の所望量を表す第２値を決定する消費者デマンド手段、
各区域の第１値と各区域の第２値の関係を表す第３値を計算する差分手段、
前記第３値を表し、各区域について買値と売値の１つを指示する第１信号を競売手段へ送る送信手段、および
複数の区域のそれぞれから第１信号を受け取り、各区域について買値と売値の少なくとも１つと競売価格とを比較することにより販売を完了させ、販売が完了したとき販売の買値と売値をつけたそれぞれの区域のための資源の総供給量の新しい一部を指示する第２信号を発生し、前記資源分配手段へ送る競売手段、
より成ることを特徴とする装置。
【発明の詳細な説明】
【０００１】
【産業上の利用分野】
本発明は、一般には、ビル内の熱資源の分配、より詳細には、コンピュータ化された競売に基づいて熱資源を効率的に分配することに関する。
【０００２】
【従来の技術】
ここ２０年間に行われたディジタル技術およびオペレーションリサーチにおける革命的な進歩にもかかわらず、ビル環境管理における最新の技術水準はこれらの進歩を反映していないことが多い。例えば、多くの近代的ビルは依然として空気調和系統によって熱管理され、また、オフィスにおける点灯は手動（効率が悪い）制御の下にある。さらに、ＰＩＤ（  ｐｒｏｐｏｒｔｉｏｎａｌ  ｉｎｔｅｇｒａｌ  ｄｅｒｉｖａｔｉｖｅ  の略）制御を使用している多くの制御アルゴリズムは、最適に作動させるのにかなりの時間をかける必要がある。
【０００３】
伝統的なビル資源管理ではオフィスビルの各部屋の温度は個別に制御される。従って、貸借人は、部屋を冷房したいとき、サーモスタットを調節して所望温度を設定する。しかし、このようなシステムでは、もし幾つかの部屋の賃借人のそれぞれが自分たちの部屋を冷房することを望めば、オフィスビル全体では温度調節された空気をもっと多く生成する必要がある。従って、温度調節された空気の総供給量は、オフィスビルの賃貸人の個々の要望の合計に従って毎日（および毎時間）異なる。
【０００４】
より複雑なレベルでは、個々の好みを考慮しながらビル環境を効率的に制御する努力は、ほとんど占拠センサ、ディジタル・サーモスタット、および照明レベル制御装置より成っていた。あるアプリケーションにおいては、そのほかに、ワークステーションを使用して、ビルの運用の異常な変化を監視し、またエネルギー消費設定を制御している。
【０００５】
原則として、ビルのすべての環境パラメータと熱パラメータへアクセスする手段を有する制御装置（すなわち、完全モデル）は、ビルを最適に管理することができるであろうが、実際には、そのような情報はシステムにめったにない。それどころか、変数（たとえば、一時的なオフィス占拠、外部温度、コンピュータの使用など）の局所的変動に関する個人情報が、ビル環境を管理する際に使用できる唯一の信頼できるソースである。これは、ほとんどの決定が局所（オフィス）レベルで行われる分散型制御システムである。
【０００６】
【発明が解決しようとする課題】
ビル管理システムの有効性を制限する多くの制約が存在する。例えば、各オフィスは「時定数」を有する。時定数は、熱資源の変化にオフィス内の温度が応答するのに要する時間の尺度であって、壁や窓のほか、オフィス内の材料、家具、紙、等の熱的性質（熱容量）の関数である。そのほかにも、熱資源を分配する制御装置の有効性を制約する別の建築学上の制約がある。例えば、ダクト網の設計や保守が悪ければ、どんな管理手法も適切な熱資源を効率的に分配することが難しい。また、すべての制御装置は、情報を提供するセンサ、それらの分析結果、制御装置の命令をアクチュエータが実行する精度の制限を受ける。
【０００７】
本発明の目的は上記およびその他の従来技術の問題を解決することである。
【０００８】
【課題を解決するための手段】
本発明は、好ましい第１実施例において、最新の量の温度調節された空気を供給するＨＶＡＣ（暖房・通気・空気調和：  Ｈｅａｔｉｎｇ，  Ｖｅｎｔｉｌａｔｉｎｇ，  ａｎｄ  Ａｉｒ  Ｃｏｎｄｉｔｉｏｎｉｎｇ  の略）  装置を提供する。温度調節された空気は、複数の区域の間で分配される。各区域は温度調節された空気の一部を受け取る。ＨＶＡＣ装置は、温度調節された空気を分配するため複数の区域にわたって配置されたダクト網を有する。ＨＶＡＣ装置は、そのほかに複数のダンパーを備えている。各ダンパーは対応する区域へ供給される温度調節された空気の一部を制御する。複数のダンパーはダクト網内に設置されている。装置は、さらに複数のサーモスタットを備えている。各区域に１個のサーモスタットが配置されている。各サーモスタットは、対応する区域の実際温度を測定し、かつ対応する区域の所望温度を指示する。サーモスタットは、さらに、対応する区域の測定した実際温度と所望温度の関係を表す第１信号を送信する。第１信号は中央ワークスーションへ送信され、買値と売値の１つを指示する。ＨＶＡＣ装置は、さらに、各区域のサーモスタットから第１信号を受け取る中央ワークスーションを備えている。中央ワークスーションは、各区域ごとに買値と売値の１つと競売価格とを突き合わせることによって販売を完了させる。販売が完了すると、中央ワークスーションは第２信号を発生する。第２信号は、完了した販売に関係する各区域のための温度調節された空気の新しい一部を指示する。
【０００９】
【実施例】
通常のオフィスビルには、各階に多くの部屋（すなわち、区域）がある。図１は、オフィスビルのある階の間取り図を示す。間取り図は、多数の部屋１０ａ，１０ｂ，１０ｃ，．．．１０ｈに分割されている。
【００１０】
各部屋は、個人的好み、一日の時刻、および日光の量などの多くの要因の組合せに基づいて、部屋の温度を個別に維持することができる。従って、それぞれの部屋の貸借人は、部屋を冷房したい、室温を維持したい、または部屋を暖房したいことがある。好ましい実施例は空気調和装置の冷空気の分配に関するものであるが、好ましい実施例は熱空気または周囲の物と熱交換することができる他の資源を分配するのにも容易に適応する。
【００１１】
温度調節された空気（以下、冷空気）は、オフィスビルのすみずみに冷空気を供給するオフィスビルに接続された通常の冷房装置（図示せず）または通常のＨＶＡＣ装置の中で作られる。冷空気は、周知のように、ダクト網によってビルのすみずみに分配される。図２は、主ダクト２０を示す。冷空気（または熱空気）は主ダクト２０からオフィスビルの壁または天井内の管を通して各部屋へ運ばれる。主ダクト２０は多くの二次ダクト２０ａ，２０ｂ，２０ｃ，．．．２０ｈへ分岐している。各二次ダクトは冷空気（または熱空気）を対応する部屋１０ａ，１０ｂ，１０ｃ，．．．１０ｈへ送る。
【００１２】
好ましい実施例では、図２に示したダクト網を通して各部屋へ分配される空気の量は、各二次ダクトに沿って配置されたダンパー（または弁）２２ａ，２２ｂ，２２ｃ，．．．２２ｈによって制御される。各ダンパー（または弁）２２ａ，２２ｂ，２２ｃ，．．．２２ｈは部屋１０ａ，１０ｂ，１０ｃ，．．．１０ｈにそれぞれ対応している。各ダンパーは、周知のように、二次ダクトを通って各部屋へ流れる空気の量を制御する働きをする。各ダンパーの制御はあとで図４のフローチャートを参照して説明する。
【００１３】
好ましい実施例では、図３に示したサーモスタット３０が各部屋に設置されている。別の実施例も本発明の範囲に含まれるので、図３に示したサーモスタットは単に説明のためのものである。好ましい実施例では、各部屋の貸借人は自分の部屋の室温を個別に監視し、調節する。別の実施例では、１個のサーモスタット３０を幾つかの部屋で共同使用し、幾つかの部屋を一緒に監視し、調節することができる。さらに別の実施例では、オフィスビルの各階に１個の独立したサーモスタット３０が設置されており、その階の温度は他の階とは別個に制御される。以下、各部屋が部屋の温度を制御する独立したサーモスタット３０を有している好ましい実施例について詳細に説明する。
【００１４】
図４のステップ１００において、サーモスタット３０は周知のやり方で部屋の温度を測定する。ステップ１０２において、部屋の貸借人はサーモスタット３０のノブ３２を回して、サーモスタット３０を所望温度に設定する。ステップ１０２はステップ１００の次に示してあるが、所望温度の設定は、ステップ１００の前に、または実質上同時に行うことができる。ノブ３２は最大値と最小値の間の任意の位置へ回すことができる。例えば、部屋の貸借人は５０°Ｆ〜８０°Ｆの所望温度を設定することができる。部屋を冷房するには、ノブ３２の矢印または同様な指示器が温度目盛３８の実際温度より低い所望温度を指すように、ノブ３２を反時計まわりに回す。貸借人が部屋を暖房したいときは、矢印または同様な指示器が所望温度を指すように、ノブ３２を時計まわりに回す。また、この分野で既に知られているディジタル・サーモスタット（図示せず）を使用することもできる。
【００１５】
別の実施例では、実際の室温を測定することができるサーモスタット３０が各部屋に個別に設置されている。しかし、別の実施例では、それぞれの貸借人が部屋の所望温度を個別に調節する代わりに、オフィスビルの管理人が主温度制御装置を調節して、各部屋ごとに所望温度を設定する。
【００１６】
最初の好ましい実施例では、中央ワークスーション５０が、それぞれの部屋のサーモスタットへ質問信号を送る。ステップ１０４において、各サーモスタット３０上に設置されたマイクロプロセッサ３６または同種の装置が質問信号に応じて、部屋の実際温度と設定した所望温度の関係に基づき信号を発生する。次に、この信号について詳細に説明する。例示としてマイクロプロセッサ３６を示したが、他の信号発生装置をサーモスタット３０上に設置することができる。好ましい実施例では、中央ワークスーション５０は、８：００ａｍから６：００ｐｍまでの時刻の間、１分ごとに質問信号を送る。部屋の貸借人が指示した時刻の間だけは居るであろうと仮定して、作動の時刻が設定される。その他の時間間隔も同様に本発明の範囲に含まれる。
【００１７】
各マイクロプロセッサ３６が発生した信号は、買値か売値のどちらかに分類される。例えば、ノブ３６によって設定した所望温度が部屋の実際温度より低いとき、信号は買値として分類される。買値は、貸借人が部屋を冷房するため部屋へ現在供給されているより多くの冷空気を得たいと思っていることを示す。売値は、貸借人が現在受け取っているより多くの冷空気を望んでいないことを示す。熱空気を分配する別の実施例では、所望温度が実際温度より高いとき、信号は買値として分類される。所望温度が実際温度より低いとき、信号は売値として分類される。
【００１８】
発生した各信号が部屋の所望温度と実際温度との関係に基づいていることを理解されたい。例えば、冷房装置の場合、信号が買値か売値かの分類は次式から決定することができる。
ｔｉ  ＝Ｔｉ  ｓｅｔｐｔ  ／Ｔｉ  ・＜Ｔ＞／＜Ｔｓｅｔｐｔ  ＞            （１）
ここで、Ｔｉ  はｉ番目のオフィスの温度、Ｔｉ  ｓｅｔｐｔ  はｉ番目のオフィスの温度の設定点（すなわち所望温度）、＜Ｔ＞は全オフィスの平均温度、＜Ｔｓｅｔｐｔ  ＞は全オフィスの平均温度の設定点（すなわち平均所望温度）である。ｔｉ  ＞１のとき、オペレータは売り手とみなされ、ｔｉ  ＜１のとき、貸借人は買い手とみなされる。従って、売り手は売り値を生成し、買い手は買値を生成する。また、決定基準の他の式も本発明の範囲に含まれる。暖房の競売は、別の式を使って買値と売値を分類するが、一般に、式（１）の逆関数を使用する。
【００１９】
マイクロプロセッサ３６が発生した信号は２つの成分（価格成分と量成分）より成っている。量成分は、その信号を発生している部屋がどれだけ多くの量の冷空気を要望しているかを示す。量は、とりわけ、部屋の所望温度と実際温度の差の関数である。価格成分は買い手が冷空気の代金を快く支払う価格を示す。当然ながら、買い手は一般に売り手よりも冷空気を強く望んでいるので、売り手より高い入札価格を冷空気につける。同様に、売り手は一般に買い手よりも冷空気を強く望んでないので、買い手より低い入札価格を冷空気につける。もちろん、同様に入札価格も所望温度と実際温度の差によって決まる。
【００２０】
一般に、冷空気の現在量は、各個別競売ごとに一定であるが、別の競売では、変わることがある。例えば、冷空気の総需要は、朝が低く、次第に増加してほぼ３：００ｐｍに最大値に達し、夕方に向かって減ることは確からしい。従って、朝は、冷空気の現在需要に正味「余剰」があるので、温度調節された空気（冷空気）の総量を減らすように（または、冷空気の温度を上げるように）、ＨＶＡＣ装置をプログラムすることができる。そのあと正午まで冷空気の総量を次第に増し（または、冷空気の温度を下げ）、そのあと夕方に向かって、冷空気の量を次第に減らす（または、冷空気の温度を上げる）ように、ＨＶＡＣ装置をプログラムすることができる。ＨＶＡＣ装置が冷空気でなく熱空気を提供している場合には、もちろん、上記の手順が全体に逆になる。
【００２１】
さらに、ＨＶＡＣ装置自身がそれ自身の代理人を持つことができるであろう。この代理人は、競売の前に入札を行わないが、取引調整者として行動するので、他の代理人とは異なる行動をする。従って、温度調節された空気の正味余剰が大量にある場合には、ＨＶＡＣ装置の代理人は余剰の一部を「買う」であろう。これは、ＨＶＡＣ装置の代理人が装置から買った余剰の一部を受け取る効果を有し、空気の量の減少（または、温度の変化）をもたらす。同様に、大量の正味需要があった場合には、ＨＶＡＣ装置の代理人は余剰の一部を「売る」であろう。これは、空気の量の増加（または、温度の変化）をもたらす。このやり方で、ＨＶＡＣ装置の代理人は、ＨＶＡＣ装置が装置の能力にダイナミックに応答して所望温度を満たすことを許す。従って、早朝、または周囲温度が通常の周囲温度から大きくかけ離れた日（例えば、非常に低温の夏の日または非常に温かい冬の日）には、ＨＶＡＣ装置は余剰を「買い」、そのエネルギー消費を減らすことができる。
【００２２】
ステップ１０６において、各部屋１０ａ，１０ｂ，１０ｃ，．．．１０ｈの各マイクロプロセッサ３６が発生した信号は、中央ワークスーションまたは同種の装置（以下、競売人と呼ぶことがある）へ送られる。競売人は各マイクロプロセッサ３６が発生した売値信号および売値信号を受け取り、格納する。以下説明するように、ステップ１０８において、競売人は売値および買値と競売価格とを突き合わせて、販売を完了させる。
【００２３】
競売人は買値信号と売値信号を識別し、送られてきた信号をＲＡＭなどの記憶装置に格納する。続いて、競売人はすべての買値とすべての売値を個々に分析する。
【００２４】
次に、競売人の働きについて説明する。以下の方法は、周知のように、中央ワークスーション５０の中に具体化されていることを理解されたい。この分野の専門家は以下の方法を中央ワークスーション５０のソフトウェアの中に具体化することができるであろう。それぞれの買値と売値は、図５に示すようにプロットされ、需要曲線６０と供給曲線６２を形成する。買値は、量と価格の関数としてプロットされ、需要曲線６０を形成する。売値は、同様に、量と価格の関数としてプロットされ、供給曲線６２を形成する。需要曲線と供給曲線は、決められた価格で取引する際に利用できる冷空気（または熱空気）の競売量と競売価格を決定する。
【００２５】
競売価格は供給曲線６２と需要曲線６０の交点に設定される。図５において、競売価格は５に設定される。競売価格に等しいか、それより低い売値をつけたすべての代理人、または競売価格に等しいか、それより高い買値をつけたすべての代理人は、取引を完了させ、要求した熱資源を受け取るであろう（すなわち、買い手はより多くの冷空気を受け取り、売り手はより少ない冷空気を受け取るであろう）。従って、買い手は決して自分の入札価格より多い金額を支払わない。同様に、売り手は決して自分の入札価格より少ない金額を受け取らない。買値に基づく取引はそれぞれの部屋により多くの冷空気が分配されることを示す。売値に基づく取引はそれぞれの部屋がより少ない量の冷空気を受け取ることを示す。
【００２６】
競売人は、完了した販売に関する各入札の価格成分と量成分に基づいて価格の関数として競売取引量を計算する。総取引量は次式で計算される。
取引量＝Ｖ＝ΣＮ  ｉ＝１  ｜１−ｔｉ  ｜
ここで、Ｎは売りまたは買いが成立した部屋の数である。それらの各部屋が受け取る熱資源の実際量はオペレータが要求する熱資源の相対量によって決まる。他の形式の量基準も同様に本発明の範囲に含まれる。
【００２７】
図４のステップ１１０において、中央ワークスーション（競売人）５０は、完了した販売の値をつけた各部屋へ信号を送る。前述のように、「完了した販売」は、買値が競売価格に等しいか、それ以上であること、あるいは売値が競売価格に等しいか、それ以下であることを示す。ステップ１１２において、中央ワークスーション５０が発生した信号が、完了した販売の買値または売値をつけた各部屋に対応するそれぞれのダンパー２２へ送られる。ダンパーへ送られる信号は、各部屋へ供給すべき冷空気の量を指示する。詳しく述べると、中央ワークスーション５０は、完了した販売の買値をつけた部屋に対応するダンパーへ信号を送って、ダンパーをもっと開くように指示する。好ましい実施例では、ダンパーへ送られる信号は、ダンパーを現在の設定値から開くまたは閉じる度合い（例えば、ダンパーを１０％だけ閉じる）を指示する。別の実施例では、中央ワークスーション５０が送った信号は、完全開位置に対するダンパーの開く割合（すなわち、５０％、７５％）を指示する。同様に、中央ワークスーション５０は売値をつけた部屋のダンパーへ信号を送って、ダンパーをもっと閉じるように指示する。
【００２８】
ステップ１１４において、中央ワークスーション５０（競売人）から信号を受け取った各ダンパー２２は、送られた信号に応じて開くか、または閉じる。これにより、各部屋に入る冷空気の量が変化する。理論的には、中央ワークスーション５０が各部屋へ信号を送って、ダンパー２２が開いた後、または閉じた後、各部屋の温度はそれに応じた所望温度に近づくであろう。しかし、任意の決められた短い時間に利用できるのは一定量の冷空気だけであるので、すべての部屋は厳密に所望温度まで冷房されないであろうが、各部屋の実際温度は部屋の貸借人が設定した所望温度に非常に近くなり、熱資源はより釣合いのとれたやり方で分配されるであろう。
【００２９】
好ましい実施例は１分ごとに図４のステップ１００〜１１４を繰り返すので、各部屋は、部屋の実際温度が所望温度にぴったり一致するように絶えず監視されている。最初の実施例では、各競売は個別に「予算」が立てられ、各部屋すなわち各区域の代理人は現在の競売について予算が立てられ金額に基づいて買値または売値を決める。しかし、代理人が使用する「金銭」は、いかなる意味でも「本物」ではない。
【００３０】
第２の実施例では、各部屋（または一群の部屋または階）に資源予算が与えられる。予算は、決められた期間（すなわち、１年、１／４年、１か月、等）の間に、電気、冷房および暖房などの資源に消費される最大金額を定める。第２の実施例は第１の実施例と同じように作動する。しかし、第２の実施例は「本物」の金銭を使用して動作する。例えば、売り手は、販売が完了するたびに、売った資源の量に競売価格を掛けたものに等しい金額を受け取る。同様に、買い手は、買った資源の量に競売価格を掛けたものに等しい金額を支払う。売り手と買い手の間で必ずしも実際の金銭をやり取りする必要はないが、該当する貸し金額または借り金額が買い手と売り手の両方の資源口座に記入される。従って、競売の各参加者は、販売契約によって彼らの資源予算を増すこともできるし、減らすこともできる。これは、彼らが望まないとき、未使用の資源を売る動機を与えることによって資源を節約することを貸借人（代理人）に勧める。
【００３１】
従って、冷空気などの資源の正味の売りまたは買いがないようであれば、ＨＶＡＣ装置（または他の資源供給者）が供給する冷空気の総量を加減することができる。ＨＶＡＣ装置が冷空気を提供する場合には、供給される冷空気の総量が減らされ（または、温度が上げられ）、従って供給する冷空気を生成する際にＨＶＡＣ装置が消費するエネルギーが減る。別の実施例では、電気エネルギーについて予算が立てられ、同じやり方で取引される。同様に、もし売り手がなければ、、価格が上昇し、代理人はコストを減らすように努力するので、消費する電気の総量が減る。他方、価格が上昇すると、装置の代理人は売り手になる大きな動機を有する。従って、これらの実施例では、決められた期間の終わりに、その期間中に各自の資源予算を超過しなかった各参加者には、彼らのつましい資源管理に報いるために金銭的報酬または別の報酬を与えることができる。
【００３２】
別の実施例では、冷水がビル内に設置された多数のラジエータを通過する。送風機がラジエータの全面に空気を吹きつけて、生じた冷空気が各部屋に提供される。このようなシステムにおいては、ラジエータを通って流れる冷水の量が、ダクト網を流れる冷空気の温度を表す。従って、ラジエータを流れる冷水の量を加減する弁に、上に説明した市場ベース方法を適用することができる。ダクト網を流れる冷空気の温度はそれに応じて調節されるであろう。
【００３３】
上述の実施例に類似するさらに別の実施例では、ＨＶＡＣ装置（または、他の資源供給源）によって提供された冷空気の量または熱空気の量を制御する２商品競売ベース装置が得られる。熱空気を提供するため、送風機がラジエータの全面に空気を吹きつける。送風機が吹きつける空気の量とラジエータを通って流れる熱水の量の両方を調節することができる。部屋を冷房したいとき、この装置は、熱水の量を減らすのと、ラジエータの全面に吹きつける空気の量を減らすのと、どちらがより効率的であるかを決定するように構成されている。部屋を暖房したいとき、この装置はラジエータを流れる熱水の量を増加させるか、もしくはラジエータの全面に吹きつける空気の量を増加させる。水又は空気のどちらを増加／減少させるかの決定は、より効率的な決定が行われるようにコスト利益分析に基づいて決められる。
【００３４】
予想されるように、競売ベース制御の全体が単一コンピュータプログラムである。計算上の代理人は、そのプログラムの中の手続きであり、彼らが値をつけている部屋に物理的に住んでいないことが好ましい。各部屋に計算上の代理人を住まわせることは本発明の範囲に含まれる。
【００３５】
ある人が支払ったものを受け取る人間の行う競売と異なり、この熱資源市場は効率的とは言えない。これは空気分配系統の避けられない非効率が原因である。ダクト網を通って流れる空気は管を通って流れる流体であり、抵抗器回路網を通って流れる電流に似ている。ダクト網は「抵抗」を有する。その抵抗は、それぞれの部屋へ空気を正しく分配するのを妨げる形状の関数である。非常にまずく設計されたダクト網は競売の効果を台無しにすることがある。しかし、これは、それぞれの代理人がすべてのオフィス間の相関関係を有効に学べるように時間をかけて彼らを適応させれば解決できるであろう。総合的な努力により、オフィス間の熱平衡時間は短くなるであろう。
【００３６】
【発明の効果】
上に述べた競売ベース制御方法は、資源が或るオペレータから別のオペレータへ移転されるのでなく、ある部屋に行くはずであった資源が、ダンパーを適切に調節することによって別の部屋へ送られるという点で実際の競売とは異なる。主ダクト２０は依然としてオフィスビルのすみずみへ同じ量の冷空気を運ぶ。従って、すべての部屋の平均温度は変わらない。しかし、すべてのオフィスの平均温度からの標準偏差は従来の方法を使用する場合よりかなり小さい。これは、ダンパー２２を開閉して各二次ダクト２０ａ，２０ｂ，２０ｃ，．．．２０ｈを通過する冷空気の量を変えることによって達成される。すべての部屋が所望温度の設定点に等しい実際温度であり、取引が行われないことは、まれなケースである。もちろん、すべての部屋が所望温度の設定点にあるのは、通常は過渡状態だけであり、なんらかの理由で温度の１つがドリフトすると、ある程度の取引が行われるであろう。最後に、平均温度の標準偏差が減ったので、すべての所望温度を満たしながら、ＨＶＡＣ装置が供給する平均温度を上げて（冷空気を供給しているとき）、または下げて（熱空気を供給しているとき）、正味エネルギーおよびコストの節減を達成することができる。
【図面の簡単な説明】
【図１】オフィスビルの間取り図である。
【図２】オフィスビルの全体にわたって配置されたダクト網の略図である。
【図３】第１実施例に使用したサーモスタットの略図である。
【図４】第１実施例によって実施される方法のフローチャートである。
【図５】第１実施例によって使用される供給−需要曲線のグラフである。
【符号の説明】
１０ａ，１０ｂ，１０ｃ，．．．１０ｈ  部屋
２０  主ダクト
２０ａ，２０ｂ，２０ｃ，．．．２０ｈ  二次ダクト
２２ａ，２２ｂ，２２ｃ，．．．２２ｈ  ダンパー
３０  サーモスタット
３２  ノブ
３６  マイクロプロセッサ
３８  温度目盛
５０  中央ワークスーション
６０  需要曲線
６２  供給曲線
【図１】
0003554048.tif 000002
【図２】
0003554048.tif 000003
【図３】
0003554048.tif 000004
【図４】
0003554048.tif 000005
【図５】
0003554048.tif 000006